(57)【要約】【課題】多様な加飾が可能で、外観面における優雅さや高級感を醸し出すことができるエアゾール容器収納ケースを提供する。【解決手段】エアゾールの容器本体６１周囲に配設される内ケース１０と、該内ケース１０を収納する外ケース２０と、外ケース２０の上端に装着される上蓋５０と、上蓋５０から突出したエアゾール容器６０のノズルヘッド６２周囲に配設される内キャップ４０と、内キャップ４０の周囲に配設される外キャップ３０とで構成されるエアゾール容器収納ケース１である。【選択図】図１
2020117305.tif 000002
【特許請求の範囲】
【請求項１】
エアゾール容器を収納するエアゾール容器収納ケースであって、該収納ケースは、エアゾールの容器本体周囲に配設される内ケースと、該内ケースを収納する外ケースと、外ケースの上端に装着される上蓋と、上蓋から突出したエアゾール容器のノズルヘッド周囲に配設される内キャップと、内キャップの周囲に配設される外キャップとで構成されることを特徴とするエアゾール容器収納ケース。
【請求項２】
前記外ケース及び外キャップの周囲に、鉛直状に形成された複数のデザイン部を備えた請求項１記載のエアゾール容器収納ケース。
【請求項３】
前記外ケース及び／または外キャップの周囲に、デザイン表示部を備えた請求項１または２記載のエアゾール容器収納ケース。
【発明の詳細な説明】
【技術分野】
【０００１】
本発明は、エアゾール容器収納ケースに関し、特に、多様な加飾が可能で、外観面における優雅さや高級感を醸し出すことができるエアゾール容器収納ケースに関する。
【背景技術】
【０００２】
エアゾール容器は、ノズルヘッドを指で押し下げることにより、噴射剤を利用して容器内の薬剤を射出させることができるものである。一般的なエアゾール容器は、円筒もしくは多角形状に形成された容器本体と、容器本体内に収納された薬剤と、容器本体の上部に配設されたノズルヘッドにて構成されており、かかるノズルヘッドを指で押し下げることにより、薬剤が小孔から射出される。
【０００３】
また、汎用のエアゾール容器は、単独で使用することが可能であるが、立て掛けた際の安定性を高めたり、携帯時の利便性を向上させたりするために、外装ケースに収納させることがある。
【０００４】
上記外装ケースに係る先行技術として、ポンプ式容器やエアゾール式容器の装飾取付けにともなう外装状態の充実化と、当該装飾体の生産工程の効率化を図る透明性状の容器用外装ケースならびにこの容器外装ケースを備えたポンプ式製品およびエアゾール式製品がある。
【０００５】
例えば、特許文献１には、内容物放出機構が組み込まれる開口部の周りの環状上面を有する有底筒状の容器本体に着脱可能な形で取り付けられる透明性状の容器用外装ケースにおいて、前記容器本体の外周面との間に、装飾体を入れて保持するための環状空間域を形成する筒状胴部と、前記筒状胴部の上端側部分から内方に、前記容器本体の環状上面と対向する部分まで延びる形の環状上部と、前記筒状胴部の下端側部分から内方に前記容器本体の底部と対向する部分まで延びる形の底状部と、を有し、前記筒状胴部は、その構成要素である複数の縦方向の可動胴部要素が、周方向の隣同士として並び、かつ、当該可動胴部要素間の開状態と閉状態とが選択的に設定される態様で形成され、前記可動胴部要素は、前記可動胴部要素間の閉状態と開状態とが選択的に設定される際の回動中心として作用するヒンジ作用部を備えている透明状の容器用外装ケースが、開示されている。
【先行技術文献】
【特許文献】
【０００６】
【特許文献１】特開２０１２−２３６６４４号公報
【発明の概要】
【発明が解決しようとする課題】
【０００７】
しかしながら、従来のエアゾールは、可燃ガスや圧縮窒素を使用し、爆発や破裂の懸念があるため、長時間高熱にさらされるような加飾はできるものではなく、充填後に行える加飾方法としては、シールの貼付ぐらいしかできなかった。また、特許文献１に記載された透明状の容器用外装ケースは、一重構造で、かつ、プラスチックで形成されているため、外観形状、サイズの加飾に限界があり、高級感や優雅さを醸し出すまでには至らなかった。
【０００８】
そこで本発明の目的は、上記課題を解消するために、多様な加飾が可能で、外観面における優雅さや高級感を醸し出すことができるエアゾール容器収納ケースを提供することにある。
【課題を解決するための手段】
【０００９】
本発明者らは、前記課題を解決すべく鋭意検討を行った結果、エアゾールの容器本体を特定の構造のケースでカバーすることによって、前記目的を達成し得ることを見出し、本発明を完成するに至った。
【００１０】
即ち、本発明のエアゾール容器収納ケースは、エアゾールの容器本体周囲に配設される内ケースと、該内ケースを収納する外ケースと、外ケースの上端に装着される上蓋と、上蓋から突出したエアゾール容器のノズルヘッド周囲に配設される内キャップと、内キャップの周囲に配設される外キャップとで構成されることを特徴とするものである。
【００１１】
また、本発明のエアゾール容器収納ケースは、前記外ケース及び外キャップの周囲に、鉛直状に形成された複数のデザイン部を備えたものであることが、好ましい。
【００１２】
さらに、本発明のエアゾール容器収納ケースは、前記外ケース及び／または外キャップの周囲に、デザイン表示部を備えたものであることが好ましい。
【発明の効果】
【００１３】
本発明によると、多様な加飾が可能で、外観面における優雅さや高級感を醸し出すことができるエアゾール容器収納ケースを提供することができる。
【図面の簡単な説明】
【００１４】
【図１】エアゾール容器を収納させた収納ケースの正面図である。
【図２】前記収納ケースの断面図である。
【図３】内ケースの斜視図である。
【図４】外ケースの斜視図である。
【図５】外キャップの斜視図である。
【図６】内キャップの斜視図である。
【図７】上蓋の斜視図である。
【図８】エアゾール容器を収納させた状態の斜視図である。
【発明を実施するための形態】
【００１５】
本発明のエアゾール容器収納ケースは、多様な加飾が可能で、外観面における優雅さや高級感を醸し出すことができることを特徴とするものである。特に、ハードケースを製品のパッケージと見立て、蒸着や塗装といった従来充填後に行えなかった加飾を可能にするものである。また、容器が２重構造となっているため、内側、外側のそれぞれに加飾を行うことができ、多様な装飾を演出することができるものであり、例えば、内側は蒸着、外側はクリア塗装などの加飾が可能である。さらに、容器、キャップを２重構造にしているため、外観形状、サイズの変更が可能であり、例えば、内キャップ、内ケース、上蓋の３つは共有部品として使用することができ、外キャップ、外ケースの変更により外観形状やサイズを変更することができる。
以下、本発明のエアゾール容器収納ケースの実施の形態を図面に基づいて説明する。
【００１６】
図１は、エアゾール容器を収納させた収納ケースの正面図であり、図２は、前記収納ケースの断面図である。エアゾール容器収納ケース１に収納されるエアゾール容器６０は、容器本体６１と、容器本体６１の上部に配設されたノズルヘッド６２と、で構成されるプッシュダウンタイプのものである。また前記エアゾール容器６０は、ノズルヘッド６２を指で押し下げることで、容器本体６１内の薬液を射出することができる。
【００１７】
図示するエアゾール容器収納ケース１は、前記エアゾール容器６０の容器本体６１の周囲に配設される内ケース１０と、該内ケース１０を収納する外ケース２０と、外ケース２０の上端に装着される上蓋５０と、上蓋５０から突出したエアゾール容器６０のノズルヘッド６２の周囲に配設される内キャップ４０と、内キャップ４０の周囲に配設される外キャップ３０とで構成されている。
【００１８】
図３は、内ケースの斜視図である。図３に示す内ケース１０は、上端には開口部１１を、下端には底面部１２を有する筒状体にて形成されている。また前記内ケース１０の上方には、外ケース２０の連結部２３と嵌合される連結部１３が具備されている。なお、前記内ケース１０は、熱可塑性樹脂であり、剛性、硬度、加工性、耐衝撃性に優れるＡＢＳ樹脂で形成されている。
【００１９】
図４は、外ケースの斜視図である。図４に示す外ケース２０は、内部に前記内ケース１０を収納させるもので、上端には開口部２１が、下端には湾曲部２３を備える底面部２２が形成されている。また外ケース２０は、下方にいくにつれて径が広くなる筒状体に形成されている。さらに前記外ケース２０の上方には、内ケース１０の連結部１３と嵌合される連結部２４が具備されている。また外ケース２０は、高い剛性を有し傷つきにくく、耐衝撃性、耐薬品性、耐熱性、加工性に優れるＡＳ樹脂で形成されている。
【００２０】
図５は、外キャップの斜視図である。図５に示す外キャップ３０は、内キャップ４０の周囲に配設されるもので、上端開口部３１と、下端開口部３２を備える。また外キャップ３０は、上方にいくにつれて径が広くなる筒状体に形成されている。また外キャップ３０は、高い剛性を有し傷つきにくく、耐衝撃性、耐薬品性、耐熱性、加工性に優れるＡＳ樹脂で形成されている。
【００２１】
図６は、内キャップの斜視図である。図６に示す内キャップ４０は、エアゾール容器６０のノズルヘッド６２の周囲に配設されるもので、周囲には前記外キャップ３０が配設される。また前記内キャップ４０は、上部は蓋部４１にて閉塞されており、下部には開口部４２が形成されている。また前記内キャップ４０は、熱可塑性樹脂であり、剛性、硬度、加工性、耐衝撃性に優れるＡＢＳ樹脂で形成されている。
【００２２】
図７は、上蓋の斜視図である。図７に示す上蓋５０は、エアゾール容器６０のノズルヘッド６２を保持する開口部５１と、下端に形成された開口部５２と、外キャップ３０の開口部３２と外ケース２０の開口部２１に連接される側壁部５３とで構成されている。また側壁部５３には、外ケース２０と連結される連結部５４が形成されている。また前記上蓋５０は、熱可塑性樹脂であり、剛性、硬度、加工性、耐衝撃性に優れるＡＢＳ樹脂で形成されている。
【００２３】
図８は、エアゾール容器を収納させた状態の斜視図である。図８は、内ケース１０内にエアゾール容器６０を収容させるとともに、内ケース１０の周囲に外ケース２０を配設させ、さらに上蓋５０を装着した状態を示す。この状態でエアゾール容器６０のノズルヘッド６２を指で押し下げることで、容器本体６１内の薬液を容易に射出させることができる。
【００２４】
また他の好適例として、前記外ケース２０及び外キャップ３０の周囲には、鉛直状に形成された複数のデザイン部２が形成されている。かかるデザイン部２を形成することで、上下方向に流線状の動きを表現することができる。また前記外ケース２０は、下方にいくにつれて径が広くなる筒状体に形成され、且つ、外キャップ３０は、上方にいくにつれて径が広くなる筒状体に形成されているため、優しく幻想的な外観形状を醸し出すことができる。
【００２５】
さらに他の好適例として、前記外ケース２０及び／または外キャップ３０の周囲に、デザイン表示部３を備えた。前記デザイン表示部３は、例えばアニメキャラクター、ブランド名、植物、動物、幾何学模様等、さまざまなデザインを表示することができる。さらに、内キャップ４０の蓋部４１にデザインを施すこともできる。
【００２６】
上述の如く、本発明のエアゾール容器収納ケース１によれば、内ケース１０と外ケース２０、及び内キャップ４０と外キャップ３０との二重構造で形成されているため、重厚感と高級感を醸し出すことができる。また、外ケース２０及び外キャップ３０の周囲に、鉛直状に形成された複数のデザイン部を備えたことにより、外観面における優雅さも得ることができる。さらに、外キャップ３０を取り外すだけで、容易にノズルヘッド６２を操作することができ、利便性も向上できる。
【符号の説明】
【００２７】
１    エアゾール容器収納ケース
２    デザイン部
３    デザイン表示部
１０  内ケース
１１  開口部
１２  底面部
１３  連結部
２０  外ケース
２１  開口部
２２  底面部
２３  湾曲部
２４  連結部
３０  外キャップ
３１  上端開口部
３２  下端開口部
４０  内キャップ
４１  蓋部
４２  開口部
５０  上蓋
５１  開口部
５２  開口部
５３  側壁部
５４  連結部
６０  エアゾール容器
６１  容器本体
６２  ノズルヘッド
【図１】
2020117305.tif 000003
【図２】
2020117305.tif 000004
【図３】
2020117305.tif 000005
【図４】
2020117305.tif 000006
【図５】
2020117305.tif 000007
【図６】
2020117305.tif 000008
【図７】
2020117305.tif 000009
【図８】
2020117305.tif 000010